(57)【要約】【課題】タイマ録画予約の設定後にスタンバイ状態への移行の操作をしなくても、確実に録画を行うことができるタイマ録画装置を提供する。【解決手段】録画開始時刻より一定時間前になると、スタンバイ状態への移行有無の選択を促すメッセージをテレビモニタの画面に表示する。この画面において、「今すぐスタンバイ状態に入る」が選択された場合は、その時点で直ちにスタンバイ状態に移行する。「録画開始直前にスタンバイ状態に入る」が選択された場合は、録画開始時刻の直前になった時点で自動的にスタンバイ状態に移行する。「スタンバイ状態に入らない」が選択された場合は、通常状態を継続しスタンバイ状態へは移行しない。いずれもが選択されない場合は、録画開始時刻の直前になった時点で自動的にスタンバイ状態に移行する。【選択図】    図４
2004165897.tif 000002
【特許請求の範囲】
【請求項１】
リモコンにより録画開始時刻および録画終了時刻を設定してタイマ録画予約を行い、設定された録画開始時刻になるとディスクへの録画を開始し、設定された録画終了時刻になるとディスクへの録画を終了するタイマ録画装置において、
録画開始時刻より一定時間前になったときに、スタンバイ状態への移行有無の選択を促すメッセージを第１の画面に表示し、
前記第１の画面において、今すぐスタンバイ状態に移行することが選択された場合は、その時点で直ちにスタンバイ状態に移行し、録画開始の直前にスタンバイ状態に移行することが選択された場合は、録画開始時刻の直前になった時点で自動的にスタンバイ状態に移行し、スタンバイ状態に移行しないことが選択された場合は通常状態を継続し、いずれもが選択されない場合は、録画開始時刻の直前になった時点で自動的にスタンバイ状態に移行し、
タイマ録画予約後にディスクが交換されたときに、どの予約で録画を再開するかの選択を促すメッセージを第２の画面に表示し、
前記第２の画面において、再開するタイマ録画予約が選択された場合は、当該選択された予約に従って交換後のディスクへの録画を再開し、録画再開が選択されなかった場合は録画を終了し、いずれもが選択されない場合は、予め定められたタイマ録画予約に従って交換後のディスクへの録画を再開することを特徴とするタイマ録画装置。
【請求項２】
操作部により録画開始時刻および録画終了時刻を設定してタイマ録画予約を行い、設定された録画開始時刻になると記録媒体への録画を開始し、設定された録画終了時刻になると記録媒体への録画を終了するタイマ録画装置において、
録画開始時刻より一定時間前になったときに、スタンバイ状態への移行有無の選択を促すメッセージを第１の画面に表示し、
前記第１の画面で所定の選択が行われた場合は、当該選択された内容に従ってスタンバイ状態への移行を実行または中止し、
前記第１の画面で所定の選択が行われなかった場合は、あらかじめ定められた時点で自動的にスタンバイ状態へ移行するようにしたことを特徴とするタイマ録画装置。
【請求項３】
請求項２に記載のタイマ録画装置において、
第１の画面で、今すぐスタンバイ状態に移行することが選択された場合は、その時点で直ちにスタンバイ状態に移行し、
第１の画面で、録画開始の直前にスタンバイ状態に移行することが選択された場合は、録画開始時刻の直前になった時点で自動的にスタンバイ状態に移行し、
第１の画面で、スタンバイ状態に移行しないことが選択された場合は通常状態を継続することを特徴とするタイマ録画装置。
【請求項４】
請求項３に記載のタイマ録画装置において、
第１の画面で、いずれもが選択されない場合は、録画開始時刻の直前になった時点で自動的にスタンバイ状態に移行することを特徴とするタイマ録画装置。
【請求項５】
請求項２ないし請求項４のいずれかに記載のタイマ録画装置において、
タイマ録画予約後に記録媒体が交換されたときに、どの予約で録画を再開するかの選択を促すメッセージを第２の画面に表示し、前記第２の画面で選択された予約に従って交換後の記録媒体への録画を再開することを特徴とするタイマ録画装置。
【発明の詳細な説明】
【０００１】
【発明の属する技術分野】
本発明は、ＤＶＤレコーダ等のタイマ録画装置に関するものである。
【０００２】
【従来の技術】
一般にＤＶＤレコーダは、リモコンの操作により録画の日付、開始時刻、終了時刻、チャンネル、録画モード等を設定して録画の予約を行い、録画開始時刻になるとディスクへの録画を開始し、録画終了時刻になるとディスクへの録画を終了するタイマ録画の機能を備えている。このようなタイマ録画においては、予約の設定をしただけでは開始時刻になっても録画は行われず、録画を行うためには、予約の設定をした後にスタンバイボタンまたは電源ボタンを押して、スタンバイ状態に移行させる必要がある。このため、予約の設定後にうっかりしてスタンバイ状態移行の操作を忘れると、録画開始時刻が到来してもディスクへの録画が行われなくなってしまう。
【０００３】
そこで、このような録画ミスを回避するために、録画開始時刻より一定時間前になった時点で、画面に警告表示を行うことが考えられる。このような警告表示に関しては、たとえば下記の特許文献１、２に記載されている。特許文献１の装置では、録画開始時刻が近づくと「ビデオ予約時間になりました。予約番組を録画しますか。」というメッセージを画面に表示し、「録画する」を選択した場合はビデオ録画を行い、「録画しない」を選択した場合は予約をキャンセルするようにしている。また、特許文献２の装置では、録画開始時刻が近づくと「タイマー予約」の文字をオンスクリーン表示し、これを点滅させることで警告表示を行うようにしている。
【０００４】
【特許文献１】
特開平１０−４０６０３号公報
【特許文献２】
実開平２−２０８３０号公報
【０００５】
【発明が解決しようとする課題】
しかしながら、上記特許文献１、２に記載の装置は、録画開始時刻より一定時間前になった時点で画面に警告表示をし、これを視聴者がみて必要な操作を行うことにより初めて正常な録画が行われるものであり、視聴者がその場にいなくて警告表示を見なかった場合は、必要な操作が行われないため、録画が不可能となるという問題点がある。
【０００６】
また、ＤＶＤレコーダでは、タイマ録画中にディスクが満杯になったときなど、ディスクを交換して新しいディスクに引き続いて録画を行いたい場合があるが、ディスクを交換した時点でその録画の予約はキャンセルされるため、他の録画と予約が重なっていると、新しいディスクの挿入後は他の予約が優先されて録画が行われることになり、今まで録画してきた内容の続きが録画されなくなるという不具合が発生する。
【０００７】
本発明は、上記問題点を解決するものであって、その課題とするところは、タイマ録画予約の設定後にスタンバイ状態への移行の操作をしなくても、確実に録画を行うことができるタイマ録画装置を提供することにある。
【０００８】
本発明の他の課題は、記録媒体の交換がされた場合に、録画を再開する予約番号を選択することができるタイマ録画装置を提供することにある。
【０００９】
【課題を解決するための手段】
本発明は、操作部により録画開始時刻および録画終了時刻を設定してタイマ録画予約を行い、設定された録画開始時刻になると記録媒体への録画を開始し、設定された録画終了時刻になると記録媒体への録画を終了するタイマ録画装置において、録画開始時刻より一定時間前になったときに、スタンバイ状態への移行有無の選択を促すメッセージを第１の画面に表示し、この第１の画面で所定の選択が行われた場合は、当該選択された内容に従ってスタンバイ状態への移行を実行または中止し、第１の画面で所定の選択が行われなかった場合は、あらかじめ定められた時点で自動的にスタンバイ状態へ移行するようにしたものである。
【００１０】
このようにすることで、タイマ録画予約の設定後にスタンバイ状態への移行操作をしなくても、録画開始時刻の一定時間前になると、スタンバイ状態への移行有無の選択を促すメッセージが画面に表示されるから、視聴者はこれを見てスタンバイ状態への移行を選択することで、タイマ録画を行うことができる。また、スタンバイ状態への移行有無の選択が行われなかった場合には、あらかじめ定められた時点で自動的にスタンバイ状態への移行が行われるため、視聴者がその場に不在で画面のメッセージを見ることが出来なかった場合でも、タイマ録画が確実に行われる。
【００１１】
本発明の好ましい実施形態においては、第１の画面で今すぐスタンバイ状態に移行することが選択された場合は、その時点で直ちにスタンバイ状態に移行し、第１の画面で録画開始の直前にスタンバイ状態に移行することが選択された場合は、録画開始時刻の直前になった時点で自動的にスタンバイ状態に移行し、第１の画面でスタンバイ状態に移行しないことが選択された場合は通常状態を継続する。これによると、録画開始までにテレビ番組等を視聴する予定がなければ、直ちにスタンバイ状態に移行させ、現在視聴中の番組等を録画開始直前まで視聴したい場合は、録画開始時刻の直前にスタンバイ状態に移行させるというように、スタンバイ状態に入るタイミングを視聴者で選択することができる。
【００１２】
また、本発明の好ましい実施形態においては、第１の画面でいずれもが選択されない場合は、録画開始時刻の直前になった時点で自動的にスタンバイ状態に移行させる。これによると、スタンバイ状態に移行するまでは、テレビ番組等を視聴したり、記録媒体への録画等を行うことが可能となる。
【００１３】
また、本発明では、タイマ録画予約後に記録媒体が交換されたときに、どの予約で録画を再開するかの選択を促すメッセージを第２の画面に表示し、前記第２の画面で選択された予約に従って交換後の記録媒体への録画を再開する。これによると、記録媒体を交換した時点で次に再開する録画予約を選択できるため、他の録画と予約が重なっている場合でも、選択された予約が優先されて、今まで録画してきた内容の続きを新たな記録媒体に録画することができる。また、録画は自動的に再開されるため、手動操作によってスタンバイ状態へ移行させる必要もない。
【００１４】
【発明の実施の形態】
以下、本発明をＤＶＤレコーダに適用した場合の実施形態につき説明する。図１は、ＤＶＤレコーダを用いたシステムの一例を示している。図において、１０はＤＶＤ−ＲＷやＤＶＤ−ＲＡＭ等の光ディスクに対して録画再生を行なうＤＶＤレコーダ、２０はＤＶＤレコーダ１０で再生された映像を表示するテレビモニタ、３０はＤＶＤレコーダ１０の録画、再生、停止、早送り等の動作を制御するリモコンである。ＤＶＤレコーダ１０は本発明のタイマ録画装置を構成し、リモコン３０は本発明の操作部を構成する。
【００１５】
図２は、ＤＶＤレコーダ１０の電気的構成を示したブロック図である。１はリモコン３０からの信号を受信するリモコン受信部であって、ＤＶＤレコーダの筐体の前面に設けられる。２はＤＶＤレコーダの筐体に備えられた操作部であって、各種のキーやスイッチなどから構成される。この操作部２も本発明における操作部を構成する。３は入出力インターフェイスであって、テレビモニタ２０やその他の外部機器と接続するためのコネクタを備えている。４はＤＶＤレコーダ１０の動作状態などを表示する表示部、５はディスクに記録された情報を再生するディスク再生部、６はディスクに情報を記録するディスク記録部、７はＣＰＵやメモリから構成される制御部である。
【００１６】
次に、リモコン３０（または操作部２）を操作してＤＶＤレコーダ１０でタイマ録画を行なう場合の動作について説明する。図３は、その全体動作を示したフローチャートであって、制御部７により実行される手順を表している。
【００１７】
最初に、リモコン３０の操作により録画の日付、開始時刻、終了時刻、チャンネル、録画モード等を設定してタイマ録画の予約が行われたか否かを判定し（ステップＳ１）、タイマ録画の予約が行われてなければ（ステップＳ１：ＮＯ）、処理を終了する。タイマ録画の予約が行われておれば（ステップＳ１：ＹＥＳ）、次に、ディスクの交換があったか否かを判定する（ステップＳ２）。ディスクの交換があった場合は（ステップＳ２：ＹＥＳ）、ディスク挿入後の処理（ステップＳ３）やキー受付処理（ステップＳ４）が行われるが、これについては後述する。ディスクの交換がなければ（ステップＳ２：ＮＯ）、次にＤＶＤレコーダ１０が録画中であるか否かを判定する（ステップＳ５）。そして、録画中であれば（ステップＳ５：ＹＥＳ）、録画予約で設定された終了時刻が到来したか否かを判定して（ステップＳ９）、終了時刻が到来してなければ（ステップＳ９：ＮＯ）録画を継続し、終了時刻が到来すれば（ステップＳ９：ＹＥＳ）、録画を停止して（ステップＳ１０）処理を終了する。一方、ステップＳ５において録画中でなければ（ステップＳ５：ＮＯ）、次に、スタンバイ処理（ステップＳ６）、キー受付処理（ステップＳ７）、録画開始処理（ステップＳ８）の各処理が実行される。ステップＳ６〜Ｓ８の詳細は後述するが、これらの一連のステップにおいては、以下のような処理が行われる。
【００１８】
録画開始時刻より一定時間前（たとえば２分前）になると、図４に示したようなスタンバイ状態への移行有無の選択を促すメッセージがテレビモニタ２０の画面に表示される。この表示画面を以下では「画面１」という。画面１は本発明における第１の画面を構成する。なお、画面１の「２分前」の表示は、たとえば３０秒おきに減算されて更新される。この画面１において、番号１の「今すぐスタンバイ状態に入る」が選択された場合は、その時点でＤＶＤレコーダ１０は直ちにスタンバイ状態に移行する。そして、録画開始時刻になると、ディスクへの録画が自動的に開始される。また、画面１において、番号２の「録画開始直前にスタンバイ状態に入る」が選択された場合は、録画開始時刻の直前になった時点でＤＶＤレコーダ１０は自動的にスタンバイ状態に移行する。そして、録画開始時刻になると、ディスクへの録画が自動的に開始される。また、画面１において、番号３の「スタンバイ状態に入らない」が選択された場合は、ＤＶＤレコーダ１０は通常状態を継続し、スタンバイ状態へは移行しない。したがって、録画開始時刻になっても、ディスクへの録画は行われない。また、画面１において、番号１〜３のいずれもが選択されなかった場合は、画面１の注記にあるように、番号２が自動的に選択され、ＤＶＤレコーダ１０は録画開始時刻の直前になった時点で自動的にスタンバイ状態に移行し、録画開始時刻になると、ディスクへの録画が自動的に開始される。なお、ここでは番号の選択がなかった場合に番号２が自動的に選択されるようにしているが、番号１が自動的に選択されるようにして、直ちにスタンバイ状態へ移行するようにしてもよい。
【００１９】
図５は、図３におけるステップＳ６のスタンバイ処理の詳細を示したフローチャートである。最初に、現在時刻が録画開始時刻の直前（たとえば３０秒前）であり、かつ、画面１で番号２が選択されたか又は番号１〜３のいずれもが未選択であるか否かを判定する（ステップＳ２１）。これらの条件が満たされている場合は（ステップＳ２１：ＹＥＳ）、スタンバイ状態へ移行するとともに（ステップＳ２２）、画面１を消去する（ステップＳ２３）。続いて、スタンバイ状態か否かを判定するが（ステップＳ２４）、すでにステップＳ２２で移行済みなので、ステップＳ２４での判定はＹＥＳとなり処理を終了する。この後は、後述するキー受付処理へ移行する。
【００２０】
一方、ステップＳ２１の条件が満たされていない場合は（ステップＳ２１：ＮＯ）、次にスタンバイ状態か否かを判定する（ステップＳ２４）。すでにスタンバイ状態にあれば（ステップＳ２４：ＹＥＳ）処理を終了し、スタンバイ状態でなければ（ステップＳ２４：ＮＯ）、次に画面１で番号３が選択されたか否かを判定する（ステップＳ２５）。番号３が選択されておれば（ステップＳ２５：ＹＥＳ）処理を終了し、番号３が選択されていなければ（ステップＳ２５：ＮＯ）、次に画面１が表示されているか否かを判定する（ステップＳ２６）。画面１が表示されておれば（ステップＳ２６：ＹＥＳ）処理を終了し、画面１が表示されていなければ（ステップＳ２６：ＮＯ）、次に現在時刻が録画開始時刻の２分前から録画開始時刻までの間にあるか否かを判定する（ステップＳ２７）。現在時刻が録画開始時刻の２分前から録画開始時刻までの間になければ（ステップＳ２７：ＮＯ）処理を終了し、現在時刻が録画開始時刻の２分前から録画開始時刻までの間にあれば（ステップＳ２７：ＹＥＳ）、テレビモニタ２０に画面１を表示して（ステップＳ２８）処理を終了する。以上のようなスタンバイ処理を実行した後、次に述べるキー受付処理へ移行する。
【００２１】
図６は、図３におけるステップＳ７のキー受付処理の詳細を示したフローチャートである。まず、テレビモニタ２０に画面１が表示されているか否かを判定する（ステップＳ４１）。画面１が表示されていなければ、画面２が表示されているか否かを判定するが（ステップＳ４６）、これについては後述する。画面２も表示されていなければ（ステップＳ４６：ＮＯ）、その他のキー処理を行って（ステップＳ５１）処理を終了する。
【００２２】
ステップＳ４１において、画面１が表示されている場合は（ステップＳ４１：ＹＥＳ）、リモコン３０のキー操作による番号（図４の１〜３）の選択を受付け、選択された番号を判別する（ステップＳ４２）。選択された番号が「１」であれば、直ちにスタンバイ状態へ移行するとともに（ステップＳ４３）、画面１を消去して（ステップＳ４４）処理を終了する。また、選択された番号が「１」以外の番号であれば、選択された番号を記憶した後（ステップＳ４５）、画面１を消去して（ステップＳ４４）処理を終了する。以上のキー受付処理の後は、次に述べる録画開始処理へ移行する。
【００２３】
図７は、図３におけるステップＳ８の録画開始処理の詳細を示したフローチャートである。まず、ＤＶＤレコーダ１０がスタンバイ状態にあるか否かを判定する（ステップＳ６１）。スタンバイ状態になければ（ステップＳ６１：ＮＯ）処理を終了し、スタンバイ状態にあれば（ステップＳ６１：ＹＥＳ）、次に、録画開始時刻が到来したか否かを判定する（ステップＳ６２）。録画開始時刻が到来していなければ（ステップＳ６２：ＮＯ）処理を終了し、録画開始時刻が到来すれば（ステップＳ６２：ＹＥＳ）、予約内容に従ってディスク記録部６（図１）によりディスクへの記録を開始する（ステップＳ６３）。
【００２４】
以上のようにして、上述した実施形態では、タイマ録画予約の設定後にスタンバイ状態への移行操作をしなくても、録画開始時刻の一定時間前になると、スタンバイ状態への移行有無の選択を促すメッセージが画面１に表示されるから（ステップＳ２７〜Ｓ２８）、視聴者はこれを見てスタンバイ状態への移行（図４の番号１，２）を選択することで、タイマ録画を行うことができる（ステップＳ４１〜Ｓ４３，Ｓ２１〜Ｓ２２，Ｓ６１〜Ｓ６３）。また、画面１でいずれの選択も行われなかった場合は、番号２が選択されたものとして、自動的にスタンバイ状態への移行が行われるため（ステップＳ２１〜Ｓ２２）、視聴者がその場に不在で画面１のメッセージを見ることが出来なかった場合でも、タイマ録画が確実に行われる（ステップＳ６１〜Ｓ６３）。なお、上述した実施形態では、タイマ録画予約を設定した直後にスタンバイ状態への移行の操作を行う必要がないので、リモコン３０や操作部２にスタンバイボタンは不要である。但し、本発明はスタンバイボタンを排除するものではなく、スタンバイボタンを設けた場合は、タイマ録画予約の設定後にスタンバイボタンを押し忘れても、スタンバイ状態への移行が自動的に行われることになる。
【００２５】
また、画面１では、今すぐスタンバイ状態に移行するか、録画開始の直前にスタンバイ状態に移行するかを選択できるようになっているので、録画開始までにテレビ番組等を視聴する予定がなければ、直ちにスタンバイ状態に移行させ、現在視聴中の番組等を録画開始直前まで視聴したい場合は、録画開始時刻の直前にスタンバイ状態に移行させるというように、スタンバイ状態に入るタイミングを視聴者で選択することができる。
【００２６】
また、画面１で何の選択もされない場合は、録画開始時刻の直前になった時点で自動的にスタンバイ状態に移行するため、スタンバイ状態に移行するまでは、テレビ番組等を視聴したり、ディスクの再生や録画を行うことが可能となる。
【００２７】
次に、図３のステップＳ２において、ディスクの交換が行われた場合の処理について説明する。この場合は、ディスク挿入後の処理（ステップＳ３）やキー受付処理（ステップＳ４）が実行される。ステップＳ３，Ｓ４の詳細は後述するが、これらの一連のステップにおいては、以下のような処理が行われる。
【００２８】
タイマ録画予約後にディスクが交換されると、図９に示したように、どの予約で録画を再開するかの選択を促すメッセージがテレビモニタ２０の画面に表示される。この表示画面を以下では「画面２」という。画面２は本発明における第２の画面を構成し、たとえば１０秒間表示される。この画面２において、番号１〜３のいずれかのタイマ録画予約が選択された場合は、当該選択された番号の予約内容に従って、ＤＶＤレコーダ１０は交換後のディスクへの録画を再開する。また、番号ｎが選択されて録画再開を行わない場合は、ＤＶＤレコーダ１０は録画を終了する。また、番号１〜ｎのいずれもが選択されない場合は、画面２の注記にあるように、番号１が自動的に選択され、ＤＶＤレコーダ１０は番号１の予約内容に従って交換後のディスクへの録画を再開する。
【００２９】
図８は、図３におけるステップＳ３のディスク挿入後の処理の詳細を示したフローチャートである。最初に、画面２が表示されているか否かを判定し（ステップＳ８１）、画面２が表示されておれば（ステップＳ８１：ＹＥＳ）、次に、画面２が表示されてから１０秒が経過したか否かを判定する（ステップＳ８２）。１０秒が経過しておれば（ステップＳ８２：ＹＥＳ）、１０秒の間に画面２で１〜ｎのいずれも選択されなかったことになるので、上述したとおり、番号１が選択されたものとして、自動的に番号１の予約内容に従って録画を再開するとともに（ステップＳ８３）、画面２を消去する（ステップＳ８４）。また、画面２が表示されてから１０秒が経過してなければ（ステップＳ８２：ＮＯ）、処理を終了する。一方、ステップＳ８１において、画面２が表示されていなければ（ステップＳ８１：ＮＯ）、画面２で番号ｎが選択済みか又は録画中かを判定する（ステップＳ８５）。番号ｎが選択済み又は録画中であれば（ステップＳ８５：ＹＥＳ）処理を終了し、番号ｎが選択済み又は録画中でなければ（ステップＳ８５：ＮＯ）、画面２を表示する（ステップＳ８６）。以上の処理の後は、ステップＳ４のキー受付処理へ移行する。
【００３０】
キー受付処理は、図６に示した通りであり、画面１に関するステップＳ４１〜Ｓ４５についてはすでに説明したので、画面２に関するステップＳ４６〜Ｓ５０について説明する。画面２が表示されている場合は（ステップＳ４６：ＹＥＳ）、リモコン３０のキー操作による番号（図９の１〜ｎ）の選択を受付け、選択された番号を判別する（ステップＳ４７）。選択された番号が「ｎ」であれば、ｎを記憶するとともに（ステップＳ４８）、画面２を消去して（ステップＳ４９）処理を終了する。また、選択された番号が「ｎ」以外の番号であれば、その選択された番号の予約内容で交換後のディスクへの録画を再開するとともに（ステップＳ５０）、画面２を消去して（ステップＳ４９）処理を終了する。以上の処理の後は、図３のステップＳ５へ移行する。ステップＳ５以降の処理についてはすでに説明した通りである。
【００３１】
以上のようにして、上述した実施形態では、ディスクの交換があったときに、どの予約で録画を再開するかの選択を促すメッセージを画面２に表示し（ステップＳ８６）、画面２で選択された予約に従って交換後のディスクへの録画を再開するので（ステップＳ４６，Ｓ４７，Ｓ５０）、他の録画と予約が重なっている場合でも、選択された予約が優先されて、今まで録画してきた内容の続きを新たなディスクに録画することができる。また、録画は自動的に再開されるため、手動操作によってスタンバイ状態へ移行させる必要もない。
【００３２】
上述した実施形態においては、記録媒体として光ディスクを取り扱うＤＶＤレコーダを例に挙げたが、本発明は記録媒体としてテープを取り扱うＶＴＲ（ビデオテープレコーダ）にも適用することができる。
【００３３】
【発明の効果】
本発明によれば、タイマ録画予約の設定後にスタンバイ状態への移行の操作をしなくても、自動的にスタンバイ状態への移行が行われるため、録画開始時刻になれば確実にタイマ録画を行うことができる。
【００３４】
また、本発明によれば、記録媒体の交換があった場合に再開する録画予約を選択できるようにしたので、録画予約が重なっていても今まで録画してきた内容の続きを録画できるとともに、録画再開は自動的に行われるため、手動によるスタンバイ状態移行の操作が不要となる。
【図面の簡単な説明】
【図１】ＤＶＤレコーダを用いたシステムの一例を示す図である。
【図２】ＤＶＤレコーダの電気的構成を示したブロック図である。
【図３】タイマ録画の全体動作を示したフローチャートである。
【図４】第１の画面の例である。
【図５】スタンバイ処理の詳細を示したフローチャートである。
【図６】キー受付処理の詳細を示したフローチャートである。
【図７】録画開始処理の詳細を示したフローチャートである。
【図８】ディスク挿入後の処理の詳細を示したフローチャートである。
【図９】第２の画面の例である。
【符号の説明】
１    リモコン受信部
２    操作部
３    入出力インターフェイス
４    表示部
５    ディスク再生部
６    ディスク記録部
７    制御部
１０  ＤＶＤレコーダ
２０  テレビモニタ
３０  リモコン
【図１】
2004165897.tif 000003
【図２】
2004165897.tif 000004
【図３】
2004165897.tif 000005
【図４】
2004165897.tif 000006
【図５】
2004165897.tif 000007
【図６】
2004165897.tif 000008
【図７】
2004165897.tif 000009
【図８】
2004165897.tif 000010
【図９】
2004165897.tif 000011